(57)【要約】【課題】  分岐ブレーカをグループ分けして使用電力の状況を把握でき、利用者に対して積極的に節電を意識できるようなデータ加工機能を備えた宅内電力使用量管理システムを提供する。【解決手段】  分電盤１の夫々の分岐ブレーカ１３ａに電流センサ１４ａを設け、その測定値から電力使用量を演算し、求めた電力使用量をＷＥＢページに表示するサーバ１５を分電盤１に設けた。サーバ１５に電力使用量の履歴を蓄積する記憶部１５ａと、携帯電話５にメール送信するためのメール送信部１５ｃとを設け、サーバＣＰＵ１５ｂは、分岐ブレーカ群１３の個々の分岐ブレーカを予め設定された部屋毎や家族毎のグループにグループ分けして電力使用量を演算してＷＥＢページを作成する。【選択図】  図１
2011120428.tif 000002
【特許請求の範囲】
【請求項１】
分電盤に設けられた複数の分岐ブレーカの夫々に、接続された電気機器の電力使用量を計測するために設置した計測手段と、計測したデータから電力使用量を演算する電力演算手段と、求めた電力使用量をディスプレイに表示させるための情報表示手段と、前記電力演算手段が求めた電力使用量データを前記情報表示手段に送信するためのサーバとを備え、
前記電力演算手段が、前記複数の分岐ブレーカを予め設定されたグループにグループ分けしてグループ毎の電力使用量を演算し、
前記情報表示手段が、グループ分けした電力使用量を表示することを特徴とする宅内電力使用量管理システム。
【請求項２】
前記サーバは、電力使用量を料金に換算する料金換算手段を有し、前記電力表示手段が電力使用量を金額表示することを特徴とする請求項１記載の宅内電力使用量管理システム。
【請求項３】
前記情報表示手段が、ＷＥＢブラウザを備えたパーソナルコンピュータやテレビ等の情報機器であると共に、前記サーバはＷＥＢページ作成機能を有し、
前記サーバは、前記情報機器からの閲覧要求に対して、演算した電力使用量をＷＥＢページ上に作成して送信することを特徴とする請求項１又は２記載の宅内電力使用量管理システム。
【請求項４】
前記サーバには、居住者が携行する携帯電話と通信を実施するためのモデムが接続されると共に、電力使用量データを前記携帯電話にメール送信するメール送信手段を有し、
前記サーバは、少なくとも月単位で、定期的に電力使用量データを前記携帯電話にメール送信することを特徴とする請求項１乃至３の何れかに記載の宅内電力使用量管理システム。
【請求項５】
前記サーバは、電力使用量データの履歴を記憶するデータ記憶部を備え、月が替わる毎に前年同月の電力使用量データと比較した電力使用量情報を前記携帯電話にメール送信することを特徴とする請求項４記載の宅内電力使用量管理システム。
【発明の詳細な説明】
【技術分野】
【０００１】
本発明は、宅内において消費される電力を居住者自身が管理するための宅内電力使用量管理システムに関する。
【背景技術】
【０００２】
従来、宅内で消費される電力の使用量は、月毎に電力会社から送付される請求書で確認する程度であったが、節電意識の高まりや地球温暖化に対する意識の向上、更には太陽光発電等の自家発電装置の登場により、宅内において居住者自身が電力使用量を適宜把握できるようにして、節電を促進することができるシステムが提案されている。
例えば、特許文献１では、宅内の電力使用量を分岐ブレーカ毎に監視し、電力使用量をモニタにグラフ化して表示することで、無駄な電力を消費している分岐系統を把握し易くしている。
【先行技術文献】
【特許文献】
【０００３】
【特許文献１】特開２００８−９２６８１号公報
【発明の概要】
【発明が解決しようとする課題】
【０００４】
上記特許文献１の技術は、分岐ブレーカ毎に使用電力の状況を把握することができるため、居住者がこの情報を利用して節電に生かすことができた。しかしながら、この分岐ブレーカ毎のばらばらな情報では節電の成果を把握するのが難しかったし、個々の家族に節電の意識を持たせ且つ持続させることが難しく、更なる工夫が必要であった。
【０００５】
そこで、本発明はこのような問題点に鑑み、分岐ブレーカをグループ分けして使用電力の状況を把握でき、利用者に対して積極的に節電を意識できるようなデータ加工機能を備えた宅内電力使用量管理システムを提供することを目的としている。
【課題を解決するための手段】
【０００６】
上記課題を解決する為に、請求項１の発明に係る宅内電力使用量管理システムは、分電盤に設けられた複数の分岐ブレーカの夫々に、接続された電気機器の電力使用量を計測するために設置した計測手段と、計測したデータから電力使用量を演算する電力演算手段と、求めた電力使用量をディスプレイに表示させるための情報表示手段と、前記電力演算手段が求めた電力使用量データを前記情報表示手段に送信するためのサーバとを備え、前記電力演算手段が、前記複数の分岐ブレーカを予め設定されたグループにグループ分けしてグループ毎の電力使用量を演算し、前記情報表示手段が、グループ分けした電力使用量を表示することを特徴とする。
この構成によれば、分岐ブレーカをグループ分けしてグループ毎の電力使用量を情報表示手段に表示する。そのため、部屋単位、或いは家族別でグループを構成すれば、利用者は部屋単位或いは家族単位で電力使用量を把握することが可能となり、家族の中で節電の意識を高めることができる。
尚、電力使用量とは、単位時間当たり消費される消費電力、及び時間を加味した電力消費量の双方を含むものである。
【０００７】
請求項２の発明は、請求項１に記載の構成において、前記サーバは、電力使用量を料金に換算する料金換算手段を有し、前記電力表示手段が電力使用量を金額表示することを特徴とする。
この構成によれば、電力使用量が金額で表示されるため、利用者は使用した電力を実感し易い。
【０００８】
請求項３の発明は、請求項１又は２に記載の構成において、前記情報表示手段が、ＷＥＢブラウザを備えたパーソナルコンピュータやテレビ等の情報機器であると共に、前記サーバはＷＥＢページ作成機能を有し、前記サーバは、前記情報機器からの閲覧要求に対して、演算した電力使用量をＷＥＢページ上に作成して送信することを特徴とする。
この構成によれば、ＷＥＢページ上に電力使用量が表示されるので、利用者は電力使用状況を把握し易いし、専用の表示手段を設ける必要がないためシステムを安価に構成できる。
【０００９】
請求項４の発明は、請求項１乃至３の何れかに記載の構成において、前記サーバには、居住者が携行する携帯電話と通信を実施するためのモデムが接続されると共に、電力使用量データを前記携帯電話にメール送信するメール送信手段を有し、前記サーバは、少なくとも月単位で、定期的に電力使用量データを前記携帯電話にメール送信することを特徴とする。
この構成によれば、少なくとも月に１度は携帯電話に電力使用状況が自動送信されるので、利用者はわざわざサーバにアクセスすることなく定期的に電力使用量を認識できる。そのため、節電の意識を継続させるのに役立つ。
【００１０】
請求項５の発明は、請求項４に記載の構成において、前記サーバは、電力使用量データの履歴を記憶するデータ記憶部を備え、月が替わる毎に前年同月の電力使用量データと比較した電力使用量情報を前記携帯電話にメール送信することを特徴とする。
この構成によれば、毎月１年前のデータと比較した電力使用状況が携帯電話に自動送信されるので、利用者はわざわざサーバにアクセスすることなく比較情報を把握することができ、確実に状況を認識できる。
【発明の効果】
【００１１】
本発明によれば、部屋単位、或いは家族別の電力使用量を把握することが可能となり、家族の中で節電の意識を高めることができる。また、電力使用量を金額で表示できるため、家族は使用した電力を実感し易く、節電意識の向上に役立つ。
【図面の簡単な説明】
【００１２】
【図１】本発明に係る宅内電力使用量管理システムの一例を示す構成図である。
【図２】部屋別の電力使用状況を表示したＷＥＢページの説明図である。
【図３】分電盤の分岐ブレーカ別の電力使用状況を表示したＷＥＢページの説明図である。
【図４】家族別の電力使用状況を表示したＷＥＢページの説明図である。
【図５】携帯電話に送信したメールの説明図である。
【発明を実施するための形態】
【００１３】
以下、本発明を具体化した実施の形態を、図面に基づいて詳細に説明する。図１は本発明に係る宅内電力使用量管理システムの一例を示す構成図であり、１はホーム分電盤、２はパーソナルコンピュータ（以下、ＰＣとする）、３は窓の開閉を検知する窓センサ、４は人物の接近を感知する人感センサ、５は居住者が携行する携帯電話、６はルータ、７は携帯電話と通信するためのモデム、Ｎはインターネットである。
【００１４】
ホーム分電盤１には、電流制限器（リミッター）１１、主幹ブレーカ１２、複数の分岐ブレーカ１３ａ，１３ａ，・・を列設した分岐ブレーカ群１３、分岐ブレーカ１３ａの各二次端子に設けられた電流センサ１４ａの電流センサ群１４、電力使用量データを演算して蓄積するサーバ１５、電路の電圧を検出する電圧センサ１６等が組み込まれている。
【００１５】
そして、サーバ１５は、演算した電力使用量の履歴や電力使用量を金額換算するための換算データ、更には後述するグループ分け情報等を記憶する記憶部１５ａ、電力使用量や料金等を演算する電力使用量演算機能、またＷＥＢページ作成機能を備えたサーバＣＰＵ１５ｂ、携帯電話５へメール送信を行うメール送信部１５ｃ等を備えている。
【００１６】
このように構成されたサーバ１５は次のように動作する。分岐ブレーカ群１３には、電灯、コンセントを介して接続されたエアコン、冷蔵庫やテレビ等の家電製品が接続され、これらに供給される電流を個々の分岐ブレーカ１３ａに取り付けられた変流器等から成る電流センサ１４ａが検知して、サーバ１５に通知する。
この電流情報と、主幹ブレーカ１２の二次端子に設けられている電圧センサ１６から入手した電圧情報とを基に、サーバＣＰＵ１５ｂは、分岐ブレーカ１３ａ毎に消費される電力及び電力消費量等の電力使用量を演算する。そして、この演算結果は記憶部１５ａに記憶される。また、サーバＣＰＵ１５ｂは、求めた電力使用量を基に記憶部１５ａに予め記憶されている料金換算データを参照して電気料金を算出し、電力使用量と合わせて記憶部１５ａに記憶する。
【００１７】
また記憶部１５ａには、部屋毎のグループ、及び電灯や家電機器を担当する個人を決め、その個人別のグループで分岐ブレーカ１３ａを分けたグループ分け情報が記憶されており、サーバＣＰＵ１５ｂは、分岐ブレーカ群１３の個々の分岐ブレーカ１３ａの電力使用量データをそのグループ分け情報に従ってグループ分けして記憶部１５ａに記憶する。尚、このグループ分けの設定は、住戸に分電盤１を設置した際に行われ、ＰＣ２等をサーバ１５に接続して行われる。
【００１８】
更にサーバＣＰＵ１５ｂは、月初めに前月の電力使用量を演算し、記憶部１５ａから前年同月の電力使用量データを取り出して、登録されている携帯電話５にメール送信するよう制御する。サーバＣＰＵ１５ｂは、メール送信部１５ｃに必要なデータを送信し、メール送信部１５ｃがメールデータを作成して送信操作する。このメールデータは、ルータ６、モデム７、インターネットＮを介して携帯電話５に送信される。
【００１９】
また、窓センサ３や人感センサ４が検知動作した場合も、サーバＣＰＵ１５ｂはメール送信部１５ｃを制御して、異常発生を携帯電話５にメールにより通知する。例えば、窓センサが動作した場合は、「窓に異常が発生しました」等のメールが携帯電話５に送信される。
【００２０】
こうして、演算した電力使用量データを基に、サーバ１５は図２〜図４に示すようなＷＥＢページを作成し、アクセスを受けたＰＣ２等に対してこのＷＥＢページを送信して表示させる。これらにページの選択は図示しないページ選択画面等から選択される。尚、ＰＣ２はＷＥＢページを閲覧するためのＷＥＢブラウザを備えている。
【００２１】
図２に示すＷＥＢページは、部屋毎の電力使用状況を表示している。Ｅ１は調べたい部屋を選択するための部屋選択エリア、Ｅ２は表示するデータの時期や比較するデータを選択するデータ選択エリア、Ｅ３は選択した部屋に関する具体的なデータを表示する選択情報表示エリア、Ｅ４は個々の部屋の現在の消費電力を表示する現在情報表示エリアとなっている。この図２では、部屋選択エリアＥ１において台所が選択され、その具体的な情報が選択情報表示エリアＥ３に表示されている状態を示しており、当日と前日の電力消費量が表示され、合わせてデータが棒グラフ化されて表示されている。この場合、電力消費量を金額に換算して表示させても良い。
【００２２】
図３に示すＷＥＢページは、分岐ブレーカ１３ａ毎の現在の消費電力を表示している。Ｅ１１は家族の中の調べたい個人を選択するための家族選択エリア、Ｅ１２は分岐ブレーカ１３ａ毎の現在の消費電力を表示する個別データ表示エリア、Ｅ１３は個々の部屋の現在の消費電力を表示する現在情報表示エリアとなっている。このページでは、家族選択エリアＥ１１で個人が選択されるとその個人に割り当てられたグループの情報の詳細が表示される（図示せず）。
【００２３】
図４に示すＷＥＢページは、家族の個々にグループ分けした電力使用量を金額換算して表示している。Ｅ２１は調べたい家族を選択する家族選択エリア、Ｅ２２は先月か今月か見たい月を選択するデータ選択エリア、Ｅ２３は選択された家族の電力料金を具体的に表示する個別情報表示エリアとなっている。この図４では、家族選択エリアＥ２１において、父親に割り当てられたグループが選択され、またデータ選択エリアＥ２２において先月のデータが選択された場合を示し、その結果が個別情報表示エリアＥ２３に順位付けされて表示された状態を示している。尚、ここでは電力料金を表示しているが、電力消費量で表示ても良い。
【００２４】
このように、分岐ブレーカをグループ分けしてグループ毎の電力使用量を情報表示手段に表示する。そのため、部屋単位、或いは家族別でグループを構成すれば、利用者は部屋単位或いは家族単位で電力使用量を把握することが可能となり、家族の中で節電の意識を高めることができる。また、電力使用量が金額で表示されるため、利用者は使用した電力を実感し易い。
更に、ＷＥＢページ上に電力使用量が表示されるので、利用者は電力使用状況を把握し易いし、パーソナルコンピュータ等の情報機器で見ることができ、専用の表示手段を設ける必要がないためシステムを安価に構成できる。
【００２５】
図５は、サーバ１５から携帯電話５に送信したメール内容を示している。この図５に示すように、携帯電話５には、月初めに前月の電力使用量と前年同月の電力使用量が通知され、更に簡単なメッセージが自動生成されて通知される。
【００２６】
このように、月毎に１年前のデータと比較した電力使用状況が携帯電話に自動送信されるので、利用者はわざわざサーバ１５にアクセスすることなく定期的に電力使用量を認識でき、節電の意識を継続させるのに役立つ。また、毎月１年前のデータと比較した電力使用状況が携帯電話に自動送信されるので、利用者はわざわざサーバにアクセスすることなく比較情報を把握することができ、確実に状況を認識できる。
【００２７】
尚、上記実施形態では、月初めに前年と比較するデータを送信して節電を促しているが、グループ別の電力使用量の前年同月比を求めて、節電率の順位を求めて月毎にメール送信しても良く、家族の節電意識の向上に役立てることができる。また、年１回年初めに、前年の１年間の電力使用量データと、２年前の１年間の電力使用量データをメール送信してもよい。
また、前日の消費電力のピーク値を求め、そのデータを日毎に携帯電話にメール送信しても良く、利用者に電力使用量を管理して節電を図る意識を持続させるのに役立つ。
更に、ＰＣ２を情報表示手段として使用しているが、ＷＥＢブラウザを備えた機器であれば情報表示手段として使うことができ、インターネット対応テレビやゲーム機のＷｉｉ（登録商標）を使用しても良い。
【符号の説明】
【００２８】
１・・ホーム分電盤、２・・パーソナルコンピュータ（情報表示手段）、５・・携帯電話、７・・モデム、１３・・分岐ブレーカ群、１４・・電流センサ群（計測手段）、１５・・サーバ、１５ａ・・記憶部（データ記憶部）、１５ｂ・・サーバＣＰＵ（電力演算手段、料金換算手段）、１５ｃ・・メール送信部（メール送信手段）。
【図１】
2011120428.tif 000003
【図２】
2011120428.tif 000004
【図３】
2011120428.tif 000005
【図４】
2011120428.tif 000006
【図５】
2011120428.tif 000007